(57)【要約】【課題】  従来は１つの会話セッションに属するメンバーの携帯通信端末に次の発言権のあるメンバーの表示を行うことが明確ではなく、また、優先度は予め設定された固定順であるため、優先度を変更して発言したい場合に対応できない。【解決手段】  同報通信システムは、携帯電話機である利用者端末２１〜２４と、利用者端末２１〜２４にネットワークを介して接続されるＰｏＣサーバー２５と、プレゼンスサーバー２６と、ループリスト管理装置２７とからなる。ＰｏＣサーバー２５は、任意の一の利用者端末から半二重通信用スイッチをオンとして送信された信号を受信したときに、現在同報通信を行っている他の利用者端末が存在し、かつ、予約者リストに登録されたグループ内の利用者端末が存在しないときは、プレゼンスサーバー２６の予約者リストに次回の発言者として登録される。これにより、グループ内の次の発言者が明確になる。【選択図】            図２
2006197461.tif 000002
【特許請求の範囲】
【請求項１】
基地局を介して相手端末との間で音声通話又はメールデータ送受信が可能で、かつ、半二重通信用スイッチをそれぞれ備えた複数の携帯通信端末の間で、半二重通信により同報通信を行う携帯通信端末を用いた同報通信システムにおいて、
前記複数の携帯通信端末にネットワークを介して接続され、所定の規則に従って前記複数の携帯通信端末のうち、同報通信のための前記半二重通信の送信権を一の携帯通信端末に与える第１のサーバー装置と、
前記第１のサーバー装置に接続されて、前記複数の携帯通信端末の各状態情報を逐次更新すると共に、予約者リストに次回以降同報通信を許可する携帯通信端末を登録し、随時その状態情報を前記複数の携帯通信端末へ送信する第２のサーバー装置と、
前記第１のサーバー装置を介して前記複数の携帯通信端末に接続され、前記複数の携帯通信端末を同報通信を行う一つのグループとして管理する管理装置と
を有し、前記第１のサーバー装置は、前記複数の携帯通信端末のうち任意の一の第１の携帯通信端末から前記半二重通信用スイッチをオンとして送信された信号を受信したときは、現在前記同報通信を行っている第２の携帯通信端末が存在するか否か判定し、前記第２の携帯通信端末が存在せず、かつ、前記予約者リストに登録された前記グループ内の一又は二以上の第３の携帯通信端末が存在しないときには前記第１の携帯通信端末による前記同報通信を許可し、前記第２の携帯通信端末が存在せず、かつ、前記予約者リストに登録された前記グループ内の第３の携帯通信端末が存在するとき、又は前記第２の携帯通信端末が存在し、かつ、前記予約者リストに前記第３の携帯通信端末が存在しないときには、前記第１の携帯通信端末を前記予約者リストに登録して前記第１の携帯通信端末による同報通信の予約を行うことを特徴とする携帯通信端末を用いた同報通信システム。
【請求項２】
前記第１のサーバー装置は、前記複数の携帯通信端末のうち任意の一の第１の携帯通信端末から前記半二重通信用スイッチをオンとして送信された信号を受信したときに、現在同報通信を行っている前記第２の携帯通信端末が存在し、かつ、前記予約者リストに登録された前記グループ内の第３の携帯通信端末が存在するときは、前記第１の携帯通信端末を前記予約者リストに登録して前記第１の携帯通信端末による同報通信の予約を行うことを特徴とする請求項１記載の携帯通信端末を用いた同報通信システム。
【請求項３】
前記複数の携帯通信端末は、その携帯通信端末が持つ情報に基づいて優先度がそれぞれ設定されており、前記第１のサーバー装置は、前記予約者リストに前記第１の携帯通信端末を登録するときは、前記予約者リストに登録されている前記グループ内の一又は二以上の前記第３の携帯通信端末との間で前記優先度に従って順番に登録することを特徴とする請求項１又は２記載の携帯通信端末を用いた同報通信システム。
【請求項４】
前記第１のサーバー装置は、前記複数の携帯通信端末のうち任意の一の第１の携帯通信端末から前記半二重通信用スイッチをオンとして送信された信号を受信したときに、現在同報通信を行っている前記第２の携帯通信端末が存在し、かつ、前記予約者リストに登録された前記グループ内の第３の携帯通信端末が存在するときは、前記第１及び第２の携帯通信端末の優先度を判定し、該第１の携帯通信端末の優先度が該第２の携帯通信端末の優先度よりも高い判定結果を得たときには、該第１の携帯通信端末の半二重通信による同報通信を割り込みで優先することを特徴とする請求項３記載の携帯通信端末を用いた同報通信システム。
【請求項５】
前記複数の携帯通信端末のうち予め定めた一の携帯通信端末は特権ユーザーとして設定され、該特権ユーザー以外の携帯通信端末は、その携帯通信端末が持つ情報に基づいて優先度が設定されており、前記特権ユーザーとして設定された携帯通信端末は、該特権ユーザー以外の携帯通信端末の前記予約者リストへの登録の編集、登録削除、同報通信の割り込み動作を自由に実行する機能を有することを特徴とする請求項１又は２記載の携帯通信端末を用いた同報通信システム。
【請求項６】
前記第１のサーバー装置は、前記予約者リストに登録された前記グループ内の第３の携帯通信端末が存在するときに、その第３の携帯通信端末から前記半二重通信用スイッチをオンとして送信された信号を受信したときは、該第３の携帯通信端末の前記予約者リストの登録を削除することを特徴とする請求項１乃至５のうちいずれか一項記載の携帯通信端末を用いた同報通信システム。
【請求項７】
前記携帯通信端末が持つ情報はバッテリーの残容量であり、前記携帯通信端末は前記バッテリーの残容量が少ないほど前記優先度が高く設定されていることを特徴とする請求項３乃至５のうちいずれか一項記載の携帯通信端末を用いた同報通信システム。
【請求項８】
前記携帯通信端末が持つ情報はアンテナの受信感度であり、前記携帯通信端末は前記アンテナの受信感度が低いほど前記優先度が高く設定されていることを特徴とする請求項３乃至５のうちいずれか一項記載の携帯通信端末を用いた同報通信システム。
【発明の詳細な説明】
【技術分野】
【０００１】
本発明は携帯通信端末を用いた同報通信システムに係り、特にプッシュ・トゥ・トーク・オーバー・セルラー（Push To Talk Over Cellular：以下ＰｏＣと呼ぶ）機能を具備した携帯電話機、または通信機能をもった個人携帯型情報通信機器（Personal Data Assistance：以下ＰＤＡと呼ぶ）等の携帯通信端末を用いた同報通信システムに関する。
【背景技術】
【０００２】
従来の携帯通信端末が持つ機能の一つとして、ＰｏＣ機能がある。このＰｏＣ機能とは、ＰｏＣサーバーを介して参加しているグループの複数のメンバー同士が、携帯通信端末を利用してトランシーバーで会話するように半二重通信により、特に同報通信を実現できる機能である。
【０００３】
ＰｏＣ機能の大きな特徴は、半二重通信を利用した同報通信（マルチキャスト）を実現する点にあるが、ＰｏＣサーバーを介して参加しているグループの複数のメンバーの一人が発言中（特に音声）の場合に、その発言を終了するまでは他の参加者が発言することができない。そのため、次に発言したい話者、発言予定の話者がわからず円滑な会話を行う上での妨げになることが考えられる。
【０００４】
すなわち、従来の携帯通信端末では、そのＰｏＣ機能を利用して１つの会話セッションに属するいずれかのメンバーが発言を行っている時間中は、グループ内の他のメンバーは聞く（受信）ことはできるが、発言することはできないため、同じ会話セッション内に多数のＰｏＣクライアントが存在する場合、誰が次の発言を行うべきかお互いに分からず、次の発言をするために複数のメンバーがＰｏＣスイッチを同時に押下してしまうことがある。
【０００５】
上記の現象を回避し、複数のメンバーが各々自分の携帯通信端末のＰｏＣ機能を使用する場合に、発言権者をグループ内で明確にするためには、例えば、特許文献１記載のアクセス調節方法と、特許文献２記載のユーザー優先方式に従って行うチャット室内のユーザー間の即時音声通信を含むシステムとを組み合わせることが考えられる。
【０００６】
すなわち、特許文献１記載のアクセス調節方法では、１対多数サービスを提供するディスパッチシステムにおいて、システム通話特権が許可されて遠隔装置が通話している状態において、別の遠隔装置のユーザーがプッシュ・ツー・トーク・ボタン（Push to talk button：以下ＰＴＴボタンと記す）を押下して割り込んだ場合、その時点で通話している遠隔装置の通話者よりも割り込んだ別の遠隔装置のユーザーの方のランクが高い場合は、割り込んだ別の遠隔装置に対してシステム通話特権を付与する方法である。
【０００７】
一方、特許文献２には、コンピュータネットワークによるオーディオ会議において、ユーザーが対話要求を求めると、会議サーバーがユーザーの対話要求を会議サーバーの手元にある音声順番待ち列に加えるシステムが開示されている。このシステムでは、会議サーバーは、当該ユーザーの対話要求の音声順番待ち列の一番手になったかどうかを判断し、一番手になったときには当該ユーザーの対話を許可する。
【０００８】
従って、上記の特許文献１記載のアクセス調節方法と、特許文献２記載のユーザー優先方式に従って行うチャット室内のユーザー間の即時音声通信を含むシステムとを組み合わせることで、ディスパッチシステムなどにおいて、複数のユーザーが対話要求を行うときには、ＰＴＴボタンを押下してサーバーに通知することにより、サーバーが対話要求したユーザーが通話中のユーザーよりも優先順が高ければ割り込みを許可し、優先順が同じか低ければ音声順番待ち列に加え、通話が終了すると、音声順番待ち列の一番手のユーザーに対して通話を許可するシステムが構築される。
【０００９】
【特許文献１】特表２０００−５１３５２６号公報（第１１頁、第２２頁、図３Ａ、図３Ｂ）
【特許文献２】特表２００２−５２２９８８号公報（第１５頁、第４３頁）
【発明の開示】
【発明が解決しようとする課題】
【００１０】
しかるに、上記の特許文献１及び２記載の発明を組み合わせたシステムでは、優先順の決定の仕方が任意であり、システムに応じた最適な優先度の設定がなされているか疑問であり、また、１つの会話セッションに属するメンバーの携帯通信端末に次の発言権のあるメンバーの表示を行うことについては言及されておらず、次の順番の携帯通信端末が明確には分からない。
【００１１】
また、優先度は予め設定された固定順であるため、何らかの理由で緊急に発言しなければならないような場合に、それに対応できないという問題がある。
【００１２】
本発明は以上の点に鑑みなされたもので、多数の人数のグループ内のメンバーについて、一人が発言中に次に発言予定の話者がグループ内で明確にし得る携帯通信端末を用いた同報通信システムを提供することを目的とする。
【００１３】
本発明の他の目的は、グループ内のメンバーの優先度をシステムに最適な順に設定しえると共に、必要に応じて優先度を変更可能な携帯通信端末を用いた同報通信システムを提供することにある。
【課題を解決するための手段】
【００１４】
上記の目的を達成するため、第１の発明は、基地局を介して相手端末との間で音声通話又はメールデータ送受信が可能で、かつ、半二重通信用スイッチをそれぞれ備えた複数の携帯通信端末の間で、半二重通信により同報通信を行う携帯通信端末を用いた同報通信システムにおいて、複数の携帯通信端末にネットワークを介して接続され、所定の規則に従って複数の携帯通信端末のうち、同報通信のための半二重通信の送信権を一の携帯通信端末に与える第１のサーバー装置と、第１のサーバー装置に接続されて、複数の携帯通信端末の各状態情報を逐次更新すると共に、予約者リストに次回以降同報通信を許可する携帯通信端末を登録し、随時その状態情報を複数の携帯通信端末へ送信する第２のサーバー装置と、第１のサーバー装置を介して複数の携帯通信端末に接続され、複数の携帯通信端末を同報通信を行う一つのグループとして管理する管理装置とを有することを特徴とする。
【００１５】
ここで、上記の第１のサーバー装置は、複数の携帯通信端末のうち任意の一の第１の携帯通信端末から半二重通信用スイッチをオンとして送信された信号を受信したときは、現在同報通信を行っている第２の携帯通信端末が存在するか否か判定し、第２の携帯通信端末が存在せず、かつ、予約者リストに登録されたグループ内の一又は二以上の第３の携帯通信端末が存在しないときには第１の携帯通信端末による同報通信を許可し、第２の携帯通信端末が存在せず、かつ、予約者リストに登録されたグループ内の第３の携帯通信端末が存在するとき、又は第２の携帯通信端末が存在し、かつ、予約者リストに第３の携帯通信端末が存在しないときには、第１の携帯通信端末を予約者リストに登録して第１の携帯通信端末による同報通信の予約を行うことを特徴とする。
【００１６】
この発明では、複数の携帯通信端末のうち任意の一の第１の携帯通信端末から半二重通信用スイッチをオンとして送信された信号を受信したときに、現在同報通信を行っている第２の携帯通信端末が存在し、かつ、予約者リストに第３の携帯通信端末が存在しないときには、第１の携帯通信端末を予約者リストに登録して第１の携帯通信端末による同報通信の予約を行うと共に、第２のサーバー装置が予約者リストの情報を複数の携帯通信端末へ送信するようにしたため、同報通信を行うグループ内で第２の携帯通信端末を使用した発言が行われているときでも、第１の携帯通信端末が次に発言する予定の携帯通信端末であることがグループ内で明確にできる。
【００１７】
また、上記の目的を達成するため、第２の発明は、第１の発明における第１のサーバー装置が、複数の携帯通信端末のうち任意の一の第１の携帯通信端末から半二重通信用スイッチをオンとして送信された信号を受信したときに、現在同報通信を行っている第２の携帯通信端末が存在し、かつ、予約者リストに登録されたグループ内の第３の携帯通信端末が存在するときは、第１の携帯通信端末を予約者リストに登録して第１の携帯通信端末による同報通信の予約を行うことを特徴とする。
【００１８】
また、上記の目的を達成するため、第３の発明は、第１又は第２の発明における複数の携帯通信端末が、その携帯通信端末が持つ情報に基づいて優先度がそれぞれ設定されており、第１のサーバー装置は、予約者リストに第１の携帯通信端末を登録するときは、予約者リストに登録されているグループ内の一又は二以上の第３の携帯通信端末との間で優先度に従って順番に登録することを特徴とする。この発明では、優先度順に予約者リストに携帯通信端末を登録することができる。
【００１９】
また、上記の目的を達成するため、第４の発明は、第３の発明における第１のサーバー装置が、複数の携帯通信端末のうち任意の一の第１の携帯通信端末から半二重通信用スイッチをオンとして送信された信号を受信したときに、現在同報通信を行っている第２の携帯通信端末が存在し、かつ、予約者リストに登録されたグループ内の第３の携帯通信端末が存在するときは、第１及び第２の携帯通信端末の優先度を判定し、第１の携帯通信端末の優先度が第２の携帯通信端末の優先度よりも高い判定結果を得たときには、第１の携帯通信端末の半二重通信による同報通信を割り込みで優先することを特徴とする。
【００２０】
また、上記の目的を達成するため、第５の発明は、第１又は第２の発明において、複数の携帯通信端末のうち予め定めた一の携帯通信端末は特権ユーザーとして設定され、特権ユーザー以外の携帯通信端末は、その携帯通信端末が持つ情報に基づいて優先度が設定されており、特権ユーザーとして設定された携帯通信端末は、特権ユーザー以外の携帯通信端末の予約者リストへの登録の編集、登録削除、同報通信の割り込み動作を自由に実行する機能を有することを特徴とする。
【００２１】
この発明では、特権ユーザーが特権ユーザー以外の携帯通信端末の予約者リストへの登録の編集、登録削除、同報通信の割り込み動作を自由に実行する機能を有するため、特権ユーザー以外の携帯通信端末の優先度を任意に特権ユーザーが変更して発言権を与えることができ、特権ユーザー以外の携帯通信端末の中で優先度が低い携帯通信端末であっても、会話の内容などによって優先的に発言権を与えることができるなどの、臨機応変な自由度の高い同報通信ができる。
【００２２】
また、上記の目的を達成するため、第６の発明は、上記の各発明の第１のサーバー装置が、予約者リストに登録されたグループ内の第３の携帯通信端末が存在するときに、その第３の携帯通信端末から半二重通信用スイッチをオンとして送信された信号を受信したときは、第３の携帯通信端末の予約者リストの登録を削除する構成であることを特徴とする。この発明では、第３の携帯通信端末のユーザー（話者）が、自分で予約者リストの登録を削除できる（予約キャンセルができる）。
【００２３】
また、上記の目的を達成するため、第７の発明は、上記の各発明の携帯通信端末が持つ情報はバッテリーの残容量であり、携帯通信端末はバッテリーの残容量が少ないほど優先度が高く設定されていることを特徴とする。この発明では、バッテリーの残容量の少ない携帯通信端末ほど優先的に発言権を与えることができる。
【００２４】
更に、上記の目的を達成するため、第８の発明は、携帯通信端末が持つ情報はアンテナの受信感度であり、携帯通信端末はアンテナの受信感度が低いほど優先度が高く設定されていることを特徴とする。この発明では、アンテナの受信感度が低い携帯通信端末ほど優先的に発言権を与えることができる。
【発明の効果】
【００２５】
本発明によれば、複数の携帯通信端末からなる同報通信グループ内の一携帯通信端末を用いて一人が発言が行われているときでも、発言中に予約リストに登録された第１の携帯通信端末が次に発言する予定の携帯通信端末であることがグループ内で明確にできるため、会話の進行が円滑に改善される効果がある。
【発明を実施するための最良の形態】
【００２６】
次に、本発明の実施の形態について図面と共に説明する。図１は本発明になる同報通信システムで用いる携帯通信端末の一実施の形態の外観正面図を示す。図１において、携帯通信端末の実施の形態である折り畳み型携帯電話機１は、上側筐体部２と下側筐体部３とが、互いの一側端部同士をヒンジ部４により、互いの内側面が対向密接するように折り畳まれる閉状態か、互いの内側面が離間される開状態のいずれかとなるように回動自在に結合されている。
【００２７】
上側筐体部２の内側面には、各種の画像を表示する表示部５や、着信音や受話音声を発音するスピーカ６とが設けられている。また、下側筐体部３の内側面には、各種の情報を入力するための複数のキーからなる入力部７や、送話音声を収音するマイク８が設けられている。また、例えば、下側筐体部３の側面にはＰｏＣスイッチ９が設けられている。更に、上側筐体部１の内側面の上端部付近には、発光ダイオード（ＬＥＤ）からなる発光表示部１０が設けられている。
【００２８】
ここで、ＰｏＣスイッチ９は、ＰｏＣサーバーを介して参加している複数のメンバー（携帯電話機所有者）からなるグループにて会話中に発言を行いたい場合に、トランシーバーのスイッチのように、押下し続けた状態（ＯＮ）にて発言内容を送信するために使用する。また、本発明システムでは、このＰｏＣスイッチ９を発言予約登録の動作を行う場合にも使用する。なお、図１では携帯電話機１の下側筐体部３の側面にＰｏＣスイッチ９を具備した構成としているが、入力部７の一部に割り当ててもよい。
【００２９】
折り畳み型携帯電話機１は、図示しない最寄りの基地局との間で無線通信を行い、更に基地局から公衆網などを介して相手端末との間で通信回線を確立して、音声通話やメールデータの送受信を行う端末装置であるが、その動作は周知であり、また、本発明の要旨とは関係ないので、その説明は省略する。この折り畳み型携帯電話機１は、図示しないＰｏＣサーバーを介して参加している複数のメンバー（他の携帯電話機所有者）からなるグループにて会話中に、他の携帯電話機所有者に対して所望の音声情報を同報通信する場合に、ＰｏＣスイッチ９を押下して、半二重通信を行うために使用できるものである。
【００３０】
図２は本発明になる同報通信システムの一実施の形態のシステム構成図を示す。この同報通信システムは、ＰｏＣ機能使用時における基本構成とされるネットワーク構成を示す。図２に示す同報通信システムの実施の形態は、図１に示した折り畳み型携帯電話機１である利用者端末２１〜２４と、利用者端末２１〜２４にネットワークを介して接続されるＰｏＣサーバー２５と、ＰｏＣサーバー２５に接続されたプレゼンスサーバー２６と、ＰｏＣサーバー２５に接続されたループリスト管理装置（ＧＬＭＳ）２７とからなる。
【００３１】
グループリスト管理装置（ＧＬＭＳ）２７は、登録管理されているＰｏＣ利用者端末（実施の形態では利用者端末２１〜２４）とＰｏＣサーバー２５を介してそれぞれ接続され、利用者端末２１〜２４の状態における情報は、プレゼンスサーバー２６に逐次更新される。ＰｏＣサーバー２５内には所定のルールに従い発言権者、発言予約優先者を判定の上決定できる判定部２５ａを含んでいる。
【００３２】
次に、図２の本発明になる携帯通信端末を有する通信システム（ＰｏＣシステム）の動作の概要について、図３のフローチャートを併せ参照して説明する。ＰｏＣシステムにおいて、ＰｏＣグループのある利用者端末が発言を開始しようとするために、その利用者端末（携帯電話機１）のＰｏＣスイッチ９をオンとする（ステップＳ３１）。
【００３３】
すると、ＰｏＣサーバー２５の判定部２５ａは、現在発言中の利用者端末が他に有るかどうか確認する（ステップＳ３２）。現在発言中の利用者端末が他に無いときには、予約者リストに他の発言予定となる利用者端末が存在するか確認し（ステップＳ３４）、存在しない場合にのみ、発言を開始しようとした利用者端末がＰｏＣスイッチ９をオンとしたまま発言を開始する（ステップＳ３９）。
【００３４】
一方、ステップＳ３２において、ＰｏＣサーバー２５の判定部２５ａは、現在発言中の利用者端末が他に有ると判定した場合は、プレゼンスサーバー２６の予約者リストに他の利用者端末が存在するかどうか確認する（ステップＳ３３）。ステップＳ３３で予約者リストに他の利用者端末が存在しないと判定したときには、プレゼンスサーバー２６に次の予約発言者リストとして登録される（ステップＳ３５）。なお、プレゼンス情報は随時各利用者端末に配信される。
【００３５】
他方、ＰｏＣサーバー２５の判定部２５ａは、ステップＳ３３で予約者リストに他の利用者端末が存在すると判定した場合は、現在の発言者とステップＳ３１で発言要求した利用者端末との間の発言権の優先度を判定し（ステップＳ３６）、その判定結果により現在の発言者より優先度が高いかを確認する（ステップＳ３７）。現在の発言者よりも発言要求した利用者端末の発言権の優先度が高い場合は、現在の発言者の発言を止め、割り込みで発言要求した利用者端末からの発言を開始する（ステップＳ３８）。
【００３６】
一方、ステップＳ３７において、現在の発言者よりも発言要求した利用者端末の発言権の優先度が低い場合は、プレゼンスサーバー２６により発言要求した利用者端末を優先度判定順に予約者リストとして登録させる（ステップＳ３９）。また、ＰｏＣサーバー２５の判定部２５ａは、ステップＳ３４において、発言予定者が存在すると判定した場合は、プレゼンスサーバー２６に予約者リストとして登録処理を行う（ステップＳ３９）。
【００３７】
次に、図２のシステムにおいて、ＰｏＣグループがオンラインのときに一人のメンバー（ＰｏＣ利用者端末２１）が発言している間にＰｏＣ利用者端末２２が発言しようとした場合の、次の発言権を予約登録する流れ、及び予約された次のＰｏＣ利用者端末２２が発言するまでの動作について、図４のシーケンス図と共に説明する。まず、ＰｏＣ利用者端末２１、ＰｏＣ利用者端末２２、ＰｏＣ利用者端末２３、ＰｏＣ利用者端末２４は既にＰｏＣサーバー２５に対して会話参加要求を行い、グループリスト管理装置２７にて認証され、同一階層の会話セッションに参加している接続状態とする。
【００３８】
また、プレゼンスサーバー２６は、各々の利用者端末２１〜２４の情報をリストとして逐次更新している。プレゼンスサーバー２６の情報はＰｏＣグループ内のセッションに参加している利用者端末２１〜２４を含め、グループリスト管理装置２７にてアクセス許可された利用者端末に対して開示される。なお、本実施の形態では、最初にＰｏＣグループの利用者端末が全て会話セッションに参加している状態としている。説明は省略しているが、各利用者端末２１〜２４はＰｏＣサーバー２５に各利用者端末２１〜２４から参加要求がＰｏＣサーバー２５に送られ、グループリスト管理装置２７にて管理されるリストに従って認証されたユーザーが参加を許可される。
【００３９】
まず、ＰｏＣ利用者端末２１がＰｏＣスイッチを押したままの状態を保持（オン）し、発言要求をＰｏＣサーバー２５に送信する（ステップＳ１）。この発言要求を受信したＰｏＣサーバー２５はプレゼンスサーバー２６に登録されているＰｏＣセッションの情報を取り出し、現在発言中の利用者端末が無く、他の優先権を持ったユーザーがいないことを確認し、利用者端末２１が発言可能な話者であると判定し（ステップＳ２）、その判定結果を利用者端末２１に送信して発言許可をする（ステップＳ３）。ＰｏＣサーバー２５のステップＳ２、Ｓ３の処理は、図３のステップＳ３２、Ｓ３４の処理に相当する。
【００４０】
利用者端末２１は、発言許可を受けて発言動作を開始し、発言内容をＰｏＣサーバー２５に送信する（ステップＳ４）。ＰｏＣサーバー２５は、利用者端末２１からの発言内容を受信すると、プレゼンスサーバー２６の利用者端末情報を参照し、発言優先度の判定を行い、結果として発言優先度のある他の利用者端末がいないため、利用者端末２１から受信した内容をセッション参加中のグループメンバーである他の利用者端末２２、２３及び２４に同報送信する（ステップＳ５）。ステップＳ５の処理は図３のステップＳ４０の処理に相当する。なお、ステップＳ６において、プレゼンスサーバー２６から各利用者端末２１〜２４へのプレゼンス情報配信が更新時に行われる。
【００４１】
次に、利用者端末２１が発言権を得ているときに、利用者端末２２がそのＰｏＣスイッチを押したままの状態を保持（オン）し、発言要求をＰｏＣサーバー２５に送信したものとする（ステップＳ７）。この発言要求を受信したＰｏＣサーバー２５はプレゼンスサーバー２６に登録されているＰｏＣセッションの情報を取り出し、利用者端末２２の優先度の判定を行う。
【００４２】
ＰｏＣサーバー２５は判定の結果、利用者端末２２は、現在発言権を持つ利用者端末２１よりも優先度が低いと判定し、プレゼンスサーバー２６に登録されている予約者リストには他の利用者端末が登録されていないと判定し、利用者端末２２を１番目の発言者としてプレゼンスサーバー２６の予約者リストに登録する（ステップＳ８）。なお、このステップＳ８の処理は、図３のステップＳ３２、Ｓ３３、Ｓ３５の処理に相当する。
【００４３】
ここでの優先度の判定ルールは、多数設定が可能であるが、本実施の形態では、プレゼンスサーバー２６に上げられた各利用者端末２１〜２４のバッテリーライフの残量（バッテリーの残容量）が少ない順番に優先させるものとする。これは、利用者端末である携帯電話機の通信能力が低いために、会話に参加できる時間に制限があるとの理由による。この他には、優先度の決定に、アンテナ受信感度が低い利用者端末の優先度を高くするなどの方法が考えられる。これらの優先度を決定するための情報は、各利用者端末２１〜２４からＰｏＣサーバー２５を介してプレゼンスサーバー２６に所定のタイミングで送信される。
【００４４】
その後、利用者端末２１が発言を終了して、そのＰｏＣスイッチをオフにしたものとする（ステップＳ９）。これにより、ＰｏＣサーバー２５は利用者端末２１からの送信がオフとなったことを検出し、利用者端末２１の発言終了処理を行い、利用者端末２１をグループ内の利用者端末と同じ、受信のみが可能な参加者の状態に戻す（ステップＳ１０）。その情報はプレゼンスサーバー２６に更新される。
【００４５】
続いて、会話参加者に発言予定者がいない状態にて、利用者端末２２がそのＰｏＣスイッチを押したままの状態を保持（オン）し、発言要求をＰｏＣサーバー２５に送信したものとする（ステップＳ１１）。この発言要求を受信したＰｏＣサーバー２５は判定部２５ａにてプレゼンスサーバー２６に登録されている予約者リストを参照して発言優先度を判定し、そこに１番目の発言者として利用者端末２２が登録されていることを確認すると、ＰｏＣサーバー２５は、利用者端末２２に対してその判定結果を送信して発言許可をする（ステップＳ１２）。利用者端末２２は、発言許可を受けて発言動作を開始し、発言内容をＰｏＣサーバー２５に送信する（ステップＳ１３）。以下、ステップＳ５と同様の動作が行われる。
【００４６】
図５はＰｏＣグループ内のセッションに参加している利用者端末２１〜２４における各利用者端末の表示例を示す。図５（ａ）は利用者端末２１の状態表示部５１ａには「Ｎｏｗ  Ｓｐｅａｋｉｎｇ」と表示されており、他の利用者端末２２、２３、２４の状態表示部５２ａ、５３ａ、５４ａには何の表示もされておらず、利用者端末２１の話者Ａのみが通話中であることを示している。これは図４の例ではステップＳ４の利用者端末２１の状態にあたる。
【００４７】
図５（ｂ）は利用者端末２１の状態表示部５１ｂには「Ｎｏｗ  Ｓｐｅａｋｉｎｇ」と表示されており、利用者端末２２の状態表示部５２ｂには「ＮＥＸＴ（１）」と表示されており、利用者端末２３、２４の状態表示部５３ｂ、５４ｂには何の表示もされておらず、利用者端末２１の話者Ａが通話中である状態において、利用者端末２２（話者Ｂ）が１番目の予約者として登録された場合を示しており、図４の例ではステップＳ８のときの利用者端末２２の状態を表す。
【００４８】
図５（ｃ）は利用者端末２１の状態表示部５１ｃには何も表示されていない状態に変化し、利用者端末２２の状態表示部５２ｃには「Ａｖａｉｒａｂｌｅ」が表示されており、他の利用者端末２３、２４の状態表示部５３ｃ、５４ｃには引き続き何の表示もされていない。これは、利用者端末２１が通話終了した場合の状態を示しており、かつ、利用者端末２２の話者Ｂが発言権を得て利用可能の状態を示しており、これは図４の例中のステップＳ９の状態である。話者Ａは他の発言していない参加者（話者Ｃ、Ｄ）と同様の状態となる。
【００４９】
図５（ｄ）は利用者端末２２の状態表示部５１ｄには「Ｎｏｗ  Ｓｐｅａｋｉｎｇ」と表示されており、他の利用者端末２１、２３、２４の状態表示部５１ｄ、５３ｄ、５４ｄには何の表示もされておらず、利用者端末２２の話者Ｂのみが通話を開始した状態を示しており、図４の例ではステップＳ１３のときの利用者端末２２の状態を表す。
【００５０】
このようにして、本実施の形態では、同一のＰｏＣグループセッション内で会話に参加している利用者端末（メンバー）２１〜２４のうちの一の利用者端末のユーザーが発言中に、次の発言者がプレゼンスサーバー２６の予約リストに予約情報を登録できると共に、その情報はグループの利用者端末が図５（ａ）〜（ｄ）に示すように、自端末の表示部５に表示させて共有することによってグループ内の次発言者を明確化できる。
【００５１】
図６は連続して予約する場合の各利用者端末の表示状態を示す。図６（ａ）は利用者端末２１の状態表示部６１ａには「Ｎｏｗ  Ｓｐｅａｋｉｎｇ」と表示されており、利用者端末２２の状態表示部６２ａには「ＮＥＸＴ（１）」と表示されており、利用者端末２３、２４の状態表示部６３ａ、６４ａには何の表示もされておらず、利用者端末２１の話者Ａが通話中である状態において、利用者端末２２（話者Ｂ）が１番目の発言予約者として予約者リストに登録された場合を示している。
【００５２】
図６（ｂ）は利用者端末２１の状態表示部６１ｂには「Ｎｏｗ  Ｓｐｅａｋｉｎｇ」と表示され、利用者端末２２の状態表示部６２ｂには「ＮＥＸＴ（１）」と表示され、利用者端末２４の状態表示部６４ｂには「ＮＥＸＴ（２）」と表示されており、利用者端末２３の状態表示部６３ｂには何の表示もされておらず、利用者端末２１の話者Ａが通話中である状態において、利用者端末２２（話者Ｂ）が１番目の発言予約者として予約者リストに登録され、更に利用者端末２４（話者Ｄ）が２番目の発言予約者として予約者リストに登録された場合を示している。
【００５３】
その他、予約のキャンセルは、通常はＰｏＣスイッチをもう一度押すことにより可能である。この場合は、プレゼンスサーバー２６上のリスト順番をグループのメンバーが確認し、次発言者として適切な参加者に順番を譲る等の場面が想定される。
【００５４】
また、本発明の他の実施の形態では、特権ユーザーを設定することができる。同時に同一優先度の複数のユーザーが発言開始を行う場合は、原則的には要求動作順、又は統計確率的にランダムに優先権が与えられるが、この実施の形態では、会話を円滑に進めるために、発言権者の決定が自由に設定できる特権ユーザーを設定可能とし、特権ユーザーは予約者リスト中のメンバー編集、割り込み動作、発言者のキャンセル等を自由に実行できるといったシステム構成も考えられる。
【００５５】
この実施の形態では、特権ユーザーにより複数のユーザー（利用者端末）の優先度を任意に変更できるので、会話の内容などにより、特権ユーザーが、任意のユーザーのそれまでの優先度を変更して発言権を優先させるなどの、臨機応変な通信を行うこともできる。
【００５６】
なお、本発明は以上の実施の形態に限定されるものではなく、例えば、上記の実施の形態では折り畳み型携帯電話機に適用するものとして説明したが、折り畳み型以外の携帯電話機やＰＨＳ（Personal Handyphone System）、ＰＤＡ（Personal Data Assistance，Personal Digital Assistants：個人向け携帯型情報通信機器）、更には携帯型情報機器に本発明を適用することもできる。また、プレゼンスサーバー２６に登録されている情報の開示形態についてはＰｏＣセッションのグループメンバーが閲覧する際に利用者端末側で見え易い表示形態に変更でき、あるいはシステムの設定で変更できる。また、予約キャンセルの方法は、ＰｏＣサーバー２５にて設定したルールで強制的に行うことができる。
【図面の簡単な説明】
【００５７】
【図１】本発明システムで用いる携帯通信端末の一実施の形態の外観正面図である。
【図２】本発明の同報通信システムの一実施の形態のシステム構成図である。
【図３】図２の動作説明用フローチャートである。
【図４】ＰｏＣ発言者予約方法の一例の説明用シーケンス図である。
【図５】本発明の携帯通信端末の表示の一例を示す図である。
【図６】本発明の携帯通信端末の表示の他の例を示す図である。
【符号の説明】
【００５８】
１  折り畳み型携帯電話機
２  上側筐体部
３  下側筐体部
４  ヒンジ部
５  表示部
６  スピーカ
７  入力部
８  マイク
９  ＰｏＣスイッチ
２１〜２４  利用者端末（携帯電話機）
２５  ＰｏＣサーバー
２５ａ  判定部
２６  プレゼンスサーバー
２７  グループリスト管理装置（ＧＬＭＳ）
【図１】
2006197461.tif 000003
【図２】
2006197461.tif 000004
【図３】
2006197461.tif 000005
【図４】
2006197461.tif 000006
【図５】
2006197461.tif 000007
【図６】
2006197461.tif 000008
【手続補正書】
【提出日】平成18年1月10日(2006.1.10)
【手続補正２】
【補正対象書類名】特許請求の範囲
【補正対象項目名】全文
【補正方法】変更
【補正の内容】
【特許請求の範囲】
【請求項１】
基地局を介して相手端末との間で音声通話又はメールデータ送受信が可能で、かつ、半二重通信用スイッチをそれぞれ備えた複数の携帯通信端末の間で、半二重通信により同報通信を行う携帯通信端末を用いた同報通信システムにおいて、
前記複数の携帯通信端末にネットワークを介して接続され、所定の規則に従って前記複数の携帯通信端末のうち、同報通信のための前記半二重通信の送信権を一の携帯通信端末に与える第１のサーバー装置と、
前記第１のサーバー装置に接続されて、前記複数の携帯通信端末の各状態情報を逐次更新すると共に、予約者リストに次回以降同報通信を許可する携帯通信端末を登録し、随時その状態情報を前記複数の携帯通信端末へ送信する第２のサーバー装置と、
前記第１のサーバー装置を介して前記複数の携帯通信端末に接続され、前記複数の携帯通信端末を同報通信を行う一つのグループとして管理する管理装置と
を有し、前記第１のサーバー装置は、前記複数の携帯通信端末のうち任意の一の第１の携帯通信端末から前記半二重通信用スイッチをオンとして送信された信号を受信したときは、現在前記同報通信を行っている第２の携帯通信端末が存在するか否か判定し、前記第２の携帯通信端末が存在せず、かつ、前記予約者リストに登録された前記グループ内の一又は二以上の第３の携帯通信端末が存在しないときには前記第１の携帯通信端末による前記同報通信を許可し、前記第２の携帯通信端末が存在せず、かつ、前記予約者リストに登録された前記グループ内の第３の携帯通信端末が存在するとき、又は前記第２の携帯通信端末が存在し、かつ、前記予約者リストに前記第３の携帯通信端末が存在しないときには、前記第１の携帯通信端末を前記予約者リストに登録して前記第１の携帯通信端末による同報通信の予約を行うことを特徴とする携帯通信端末を用いた同報通信システム。
【請求項２】
前記第１のサーバー装置は、前記複数の携帯通信端末のうち任意の一の第１の携帯通信端末から前記半二重通信用スイッチをオンとして送信された信号を受信したときに、現在同報通信を行っている前記第２の携帯通信端末が存在し、かつ、前記予約者リストに登録された前記グループ内の第３の携帯通信端末が存在するときは、前記第１の携帯通信端末を前記予約者リストに登録して前記第１の携帯通信端末による同報通信の予約を行うことを特徴とする請求項１記載の携帯通信端末を用いた同報通信システム。
【請求項３】
前記複数の携帯通信端末は、その携帯通信端末が持つ情報に基づいて優先度がそれぞれ設定されており、前記第１のサーバー装置は、前記予約者リストに前記第１の携帯通信端末を登録するときは、前記予約者リストに登録されている前記グループ内の一又は二以上の前記第３の携帯通信端末との間で前記優先度に従って順番に登録することを特徴とする請求項１又は２記載の携帯通信端末を用いた同報通信システム。
【請求項４】
前記第１のサーバー装置は、前記複数の携帯通信端末のうち任意の一の第１の携帯通信端末から前記半二重通信用スイッチをオンとして送信された信号を受信したときに、現在同報通信を行っている前記第２の携帯通信端末が存在し、かつ、前記予約者リストに登録された前記グループ内の第３の携帯通信端末が存在するときは、前記第１及び第２の携帯通信端末の優先度を判定し、該第１の携帯通信端末の優先度が該第２の携帯通信端末の優先度よりも高い判定結果を得たときには、該第１の携帯通信端末の半二重通信による同報通信を割り込みで優先することを特徴とする請求項３記載の携帯通信端末を用いた同報通信システム。
【請求項５】
前記複数の携帯通信端末のうち予め定めた一の携帯通信端末は特権ユーザーとして設定され、該特権ユーザー以外の携帯通信端末は、その携帯通信端末が持つ情報に基づいて優先度が設定されており、前記特権ユーザーとして設定された携帯通信端末は、該特権ユーザー以外の携帯通信端末の前記予約者リストへの登録の編集、登録削除、同報通信の割り込み動作を自由に実行する機能を有することを特徴とする請求項１又は２記載の携帯通信端末を用いた同報通信システム。
【請求項６】
前記第１のサーバー装置は、前記予約者リストに登録された前記グループ内の第３の携帯通信端末が存在するときに、その第３の携帯通信端末から前記半二重通信用スイッチをオンとして送信された信号を受信したときは、該第３の携帯通信端末の前記予約者リストの登録を削除することを特徴とする請求項１乃至５のうちいずれか一項記載の携帯通信端末を用いた同報通信システム。
【請求項７】
前記携帯通信端末が持つ情報はバッテリーの残容量であり、前記携帯通信端末は前記バッテリーの残容量が少ないほど前記優先度が高く設定されていることを特徴とする請求項３乃至５のうちいずれか一項記載の携帯通信端末を用いた同報通信システム。
【請求項８】
前記携帯通信端末が持つ情報はアンテナの受信感度であり、前記携帯通信端末は前記アンテナの受信感度が低いほど前記優先度が高く設定されていることを特徴とする請求項３乃至５のうちいずれか一項記載の携帯通信端末を用いた同報通信システム。
【請求項９】
請求項１記載の同報通信システムに用いられる、互いにネットワークを介して接続された、基地局を介して相手端末との間で音声通話又はメールデータ送受信が可能な携帯通信端末であって、
発言開始要求時及び発言期間の間オンとされる半二重スイッチと、
前記発言開始要求により前記第１のサーバー装置から発言権が与えられた時、その発言権付与状態を表示し、発言中は発言中であることを表示し、同報通信の予約が付与されたときはその予約順を表示する表示手段と
を有することを特徴とする携帯通信端末。
【請求項１０】
自端末が持つ情報に基づいて、予約の優先度が設定されてことを特徴とする請求項９記載の携帯通信端末。
【請求項１１】
前記自端末が持つ情報はバッテリーの残容量であり、前記バッテリーの残容量が少ないほど前記優先度が高く設定されていることを特徴とする請求項１０記載の携帯通信端末。
【請求項１２】
前記自端末が持つ情報はアンテナの受信感度であり、前記アンテナの受信感度が低いほど前記優先度が高く設定されていることを特徴とする請求項１０記載の携帯通信端末。
【手続補正３】
【補正対象書類名】明細書
【補正対象項目名】０００１
【補正方法】変更
【補正の内容】
【０００１】
本発明は携帯通信端末を用いた同報通信システム及び携帯通信端末に係り、特にプッシュ・トゥ・トーク・オーバー・セルラー（Push To Talk Over Cellular：以下ＰｏＣと呼ぶ）機能を具備した携帯電話機、または通信機能をもった個人携帯型情報通信機器（Personal Data Assistance：以下ＰＤＡと呼ぶ）等の携帯通信端末を用いた同報通信システム及び携帯通信端末に関する。
【手続補正４】
【補正対象書類名】明細書
【補正対象項目名】００１２
【補正方法】変更
【補正の内容】
【００１２】
本発明は以上の点に鑑みなされたもので、多数の人数のグループ内のメンバーについて、一人が発言中に次に発言予定の話者がグループ内で明確にし得る携帯通信端末を用いた同報通信システム及び携帯通信端末を提供することを目的とする。
【手続補正５】
【補正対象書類名】明細書
【補正対象項目名】００１３
【補正方法】変更
【補正の内容】
【００１３】
本発明の他の目的は、グループ内のメンバーの優先度をシステムに最適な順に設定しえると共に、必要に応じて優先度を変更可能な携帯通信端末を用いた同報通信システム及び携帯通信端末を提供することにある。
【手続補正６】
【補正対象書類名】明細書
【補正対象項目名】００２４
【補正方法】変更
【補正の内容】
【００２４】
更に、上記の目的を達成するため、第８の発明は、携帯通信端末が持つ情報はアンテナの受信感度であり、携帯通信端末はアンテナの受信感度が低いほど優先度が高く設定されていることを特徴とする。この発明では、アンテナの受信感度が低い携帯通信端末ほど優先的に発言権を与えることができる。
また、上記の目的を達成するため、第９の発明は、第１の発明の同報通信システムに用いられる、互いにネットワークを介して接続された、基地局を介して相手端末との間で音声通話又はメールデータ送受信が可能な携帯通信端末であって、発言開始要求時及び発言期間の間オンとされる半二重スイッチと、発言開始要求により第１のサーバー装置から発言権が与えられた時、その発言権付与状態を表示し、発言中は発言中であることを表示し、同報通信の予約が付与されたときはその予約順を表示する表示手段とを有することを特徴とする。この発明では、第１の発明の同報通信システムを構築する携帯通信端末を実現できる。